(57)【要約】【課題】返流水の量を極力少なくし、水処理に対する負荷を小さくすることができるスカムパイプ及びスカムパイプの運転方法を提供する。【解決手段】パイプ５１を水面３の上方に配置することにより、スカムの飲み込み状態においても、不要な処理水４を吸い込まないようにする。また、水面３上のスカムを掬う掬い状態において、掬い部５４の一部及び開口部５６の一部を水面３下に没させることで掬い部にスカムを貯留し、スカムを飲み込む飲み込み状態においては、開口部５６側にパイプ５１を中心軸周りに回動させることで、開口部５６及び掬い部５４を水面３上に位置させ、掬い部５４に貯留されたスカムをパイプ５１内に供給するようにする。これによって、掬い部５４で掬ったものだけをスカムパイプ５０内に供給することとし、スカムとともに掬い上げられる処理水４を少なくする。【選択図】図３
2008086933.tif 000002
【特許請求の範囲】
【請求項１】
中心軸周りに回動可能に支持されるパイプと、前記パイプの周面壁に設けられ、槽内に収容された処理水を前記パイプ内に案内する案内部と、を備えるスカムパイプであって、
前記パイプは、前記処理水の水面より上方に配置され、
前記案内部は、
前記パイプの前記周面壁に、前記中心軸に沿って切り欠き状に形成された穴部と、
前記穴部を形成する縁部の一部から延出して該穴部と略一体的に形成され、前記パイプの回動で前記水面上のスカムを掬うと共に前記スカムを前記穴部を介して前記パイプ内に供給する掬い部と、
を有することを特徴とするスカムパイプ。
【請求項２】
前記穴部は、前記パイプの前記周面壁に、前記中心軸に沿って延び互いに対向する第１及び第２の縁部、及び周方向に延び互いに対向する第３及び第４の縁部を形成するように設けられ、
前記掬い部は、少なくとも前記第２、第３及び第４の縁部から前記パイプの外側へ向かって各々延在する壁部で取り囲まれる領域を、その自由縁部側において底板で塞ぐことにより形成され、
前記第１の縁部と前記底板との間には、前記処理水を吸引する開口部が形成され、
前記水面上のスカムを掬う状態においては、前記掬い部の一部及び前記開口部の一部が前記水面下に没することで前記開口部を介して前記掬い部に前記スカムを貯留し、
前記スカムを飲み込む状態においては、前記開口部側に前記パイプを前記中心軸周りに回動させることで、前記開口部及び前記掬い部が前記水面上に位置し、前記掬い部に貯留された前記スカムを前記穴部を介して前記パイプ内に供給するようにされている、ことを特徴とする請求項１記載のスカムパイプ。
【請求項３】
前記パイプの前記周面壁または前記掬い部に長手方向に沿って設けられ、前記掬い部が前記パイプ内に前記スカムを供給する状態において、その下縁部が前記水面下に没する遮蔽板を更に備えることを特徴とする請求項１又は２に記載のスカムパイプ。
【請求項４】
請求項１，２又は３に記載のスカムパイプの運転方法であって、
前記掬い部が前記パイプ内に前記スカムを供給する状態から、前記スカムを掬う向きとは反対向きに前記パイプを前記中心軸周りに回動させてスカムを掬う状態とした後に、前記パイプを前記スカムを掬う向きに前記中心軸周りに回動させて前記掬い部が前記パイプ内に前記スカムを供給する状態とすることを特徴とするスカムパイプの運転方法。
【請求項５】
請求項１，２又は３に記載のスカムパイプの運転方法であって、
スカムを掬う状態から、前記スカムを掬う向きに前記パイプを前記中心軸周りに複数回数回転させることを特徴とするスカムパイプの運転方法。
【発明の詳細な説明】
【技術分野】
【０００１】
本発明は、槽の水面に浮遊するスカムを除去するスカムパイプ及びスカムパイプの運転方法に関するものである。
【背景技術】
【０００２】
従来、スカムパイプとして、槽の縁部における処理水の水面近傍に回動可能に軸架されており、その周面壁に長手方向に沿って形成されたスリット状の穴部を有し、一定角度で回動して、スカムの流れ方向側の水面に対する穴部の出没を繰り返すことによってスカムを飲み込むものが知られている（例えば、特許文献１）。
【特許文献１】特開２００２−６６５５１号公報
【発明の開示】
【発明が解決しようとする課題】
【０００３】
一般的に、スカムパイプで飲み込まれた返流水は、槽における処理よりも前段階の水処理が行われる場所（例えば、沈砂池）まで戻される。ここで、上記のスカムパイプにあっては、穴部が水面に没している間は、スカムのみならず処理水まで飲み込み続けるため、返流水の量が増加してしまい、その結果、全体として水処理に対する負荷が大きくなってしまうというおそれがあった。
【０００４】
本発明は、このような課題を解決するためになされたものであり、返流水の量を極力少なくし、水処理に対する負荷を小さくすることができるスカムパイプ及びスカムパイプの運転方法を提供することを目的とする。
【課題を解決するための手段】
【０００５】
本発明に係るスカムパイプは、中心軸周りに回動可能に支持されるパイプと、パイプの周面壁に設けられ、槽内に収容された処理水をパイプ内に案内する案内部と、を備えるスカムパイプであって、パイプは、処理水の水面より上方に配置され、案内部は、パイプの周面壁に、中心軸に沿って切り欠き状に形成された穴部と、穴部を形成する縁部の一部から延出して該穴部と略一体的に形成され、パイプの回動で水面上のスカムを掬うと共にスカムを穴部を介してパイプ内に供給する掬い部と、を有することを特徴とする。
【０００６】
このスカムパイプでは、パイプが水面の上方に配置されているため、スカムの飲み込み状態においても、不要な処理水を吸い込まないようにされている。また、掬い部で水面に浮遊するスカムを掬い上げ、掬ったものだけをスカムパイプ内に供給することができる構成とされている。従って、スカムとともに掬い上げられる処理水を少なくすることができる。以上によって、飲み込まれる返流水の量を極力少なくし、水処理に対する負荷を小さくすることができる。
【０００７】
本発明のスカムパイプの構成として、穴部は、パイプの周面壁に、中心軸に沿って延び互いに対向する第１及び第２の縁部、及び周方向に延び互いに対向する第３及び第４の縁部を形成するように設けられ、掬い部は、少なくとも第２、第３及び第４の縁部からパイプの外側へ向かって各々延在する壁部で取り囲まれる領域を、その自由縁部側において底板で塞ぐことにより形成され、第１の縁部と底板との間には、処理水を吸引する開口部が形成され、水面上のスカムを掬う状態においては、掬い部の一部及び開口部の一部が水面下に没することで開口部を介して掬い部にスカムを貯留し、スカムを飲み込む状態においては、開口部側にパイプを中心軸周りに回動させることで、開口部及び掬い部が水面上に位置し、掬い部に貯留されたスカムを穴部を介してパイプ内に供給するようにされているものが挙げられる。
【０００８】
本発明に係るスカムパイプにおいて、パイプの周面壁または掬い部に長手方向に沿って設けられ、掬い部がパイプ内にスカムを供給する状態において、その下縁部が水面下に没する遮蔽板を更に備えることが好ましい。このスカムパイプによれば、掬い部が水面から出ているときは、遮蔽板がスカムの流れ方向側とその下流側とを遮蔽し、スカムを掬う状態においてスカムは掬い部に貯留される。このようにして、いずれの状態においても、スカムが下流側へ流れてしまうことを防止することができる。
【０００９】
本発明に係るスカムパイプの運転方法は、上述したスカムパイプの運転方法であって、掬い部がパイプ内にスカムを供給する状態から、スカムを掬う向きとは反対向きにパイプを中心軸周りに回動させてスカムを掬う状態とした後に、パイプをスカムを掬う向きに中心軸周りに回動させて掬い部がパイプ内にスカムを供給する状態とすることすることを特徴とする。
【００１０】
このスカムパイプの運転方法では、スカムを掬う前に、開口部の反対側から掬い部を水面に没させることによって、その動きに引っ張られた水面上のスカムが勢いよく開口部に吸引される。これによって、効率よくスカムを掬うことができる。
【００１１】
本発明に係るスカムパイプの運転方法は、上述したスカムパイプの運転方法であって、スカムを掬う状態から、スカムを掬う向きにパイプを中心軸周りに複数回数回転させることを特徴とする。
【００１２】
このスカムパイプの運転方法では、一度掬い部を水面から出すことによって水面上のスカムを流れ方向の下流側に引っ張っておいてから、２回目以降の回転で引っ張られたスカムを掬うことができる。これによって、効率よくスカムを掬うことができる。
【発明の効果】
【００１３】
本発明に係るスカムパイプ及びスカムパイプの運転方法によれば、返流水の量を極力少なくし、水処理に対する負荷を小さくすることができる。
【発明を実施するための最良の形態】
【００１４】
以下、本発明に係るスカムパイプの好適な実施形態について、図面を参照して詳細に説明する。なお、各図において、同一または相当部分には同一の符号を付し、重複する説明は省略する。
【００１５】
[第１の実施形態]
図１は、本発明の第１の実施形態に係るスカムパイプを備えた汚泥掻寄装置を示す図である。図１に示すように、汚泥掻寄装置１は、例えば、下水処理場の沈殿池等に配置され、槽２の底部２ｂに堆積する汚泥等を汚泥ピット２ａに向けて掻き寄せるとともに、槽２の水面３に浮上するスカムを除去するものである。
【００１６】
この汚泥掻寄装置１は、槽２内で長手方向に往復動する掻寄架台１０と、この掻寄架台１０を支持すると共に往復動作を案内するガイドユニット２０と、掻寄架台１０の下部側に揺動可能に支持され、槽２の底部２ｂに堆積した汚泥を掻き寄せるフライト３０と、掻寄架台１０を槽２の底部２ｂに対して略平行に往復動作させる駆動装置４０と、水面３で回動することによってスカムを除去するスカムパイプ５０を具備している。
【００１７】
槽２は、長手方向に沿って垂直に切った断面が略矩形状を成し、図１の左側から処理水４が供給され、槽２の長手方向へ向かって処理水４が供給される。槽２の汚水供給側底部には、汚泥ピット２ａが設けられており、掻き寄せられた底部２ｂの汚泥はその汚泥ピット２ａに収集される。また、水面３に浮上するスカムは、汚水の流れと同様に図１の左側から右側へ向かって流れる。
【００１８】
掻寄架台１０、ガイドユニット２０、フライト３０、駆動装置４０の構造及び動作は、特開２００３−１８１２０９号公報に記載のものとほぼ同等である。
【００１９】
具体的には、掻寄架台１０は、長手方向に延びる２本の平行な駆動方向材１３と、結合部１３ａを介して駆動方向材１３に接続されて掻寄架台１０の車輪を構成する主ローラ１１と、を備えて構成されている。主ローラ１１は、槽２の長手方向に平行な一対の側壁に設置されたガイドユニット２０の上段の主ガイドレール２１内に収容され支持されると共にその走行が案内され、駆動装置４０を構成するモータ４１が回転することにより、その駆動力がチェーン４２を介して掻寄架台１０へ伝達され、当該掻寄架台１０が往復動作する。
【００２０】
この掻寄架台１０が往動する際には、掻寄架台１０の主ローラ支持軸に、その軸回りに揺動可能に接続されたフライト３０が、槽２の底部２ｂに堆積した汚泥を汚泥ピット２ａに向けて掻き寄せる。このとき、フライト３０から槽２の側壁へ向かうように張り出した副ローラ３２は、ガイドユニット２０の下段に設置された副ガイドレール２２の下面に揺動可能に設けられると共にこの副ガイドレール２２の下方に略３０度の傾斜面を形成するように張り出した下側案内フラップ３３を、そのばね力に抗して押し退けて往動する。副ローラ３２は、開口部３４下を通り過ぎると、モータ４１が逆回転（図示反時計回り）して掻寄架台１０が復動を始め、副ローラ３２が下側案内フラップ３３の傾斜面に沿って上昇し、上記開口部３４を通して副ガイドレール２２内に進入する。このとき、フライト３０は、図示時計回りに回動して傾斜状態とされ、フライト３０が底部２ｂと離間した状態とされて、掻き寄せた汚泥を逆方向（復動方向）に掻き戻すこと無く掻寄架台１０が復動する。副ローラ３２が復動方向に隣接する開口部３４に近づくと、副ガイドレール２２の下面に揺動可能に設置されると共に上方に延びる上側案内フラップ３５をばね力に抗して押し倒して開口部３４上を通過する。副ローラ３２が開口部３４上を通過したら、モータ４１がさらに逆方向に回転し図示時計回りに回転して掻寄架台１０が再び往動を始め、副ローラ３２が下側案内フラップ３３の傾斜面に沿って降下して副ガイドレール２２外へ案内される。このような一連の動作が繰り返されて、底部２ｂに堆積した汚泥が、汚泥ピット２ａへと運ばれる。
【００２１】
スカムパイプ５０は、槽２の下流側の水面３に、槽２の短手方向である幅全域（約５ｍが一般的である。）に亘って横置きされている。このスカムパイプ５０は、槽２の上部に設けられた駆動装置（図示されない）によって回動され、水面３上のスカムを除去する構成となっている。以下に、図２及び図３を参照してスカムパイプの詳細な構成を説明する。
【００２２】
図２は、図１に示されたスカムパイプ５０の斜視図である。また、図３は、そのスカムパイプ５０の断面図であり、（ａ）は通常状態を示し、（ｂ）はスカムを掬う掬い状態を示し、（ｃ）はスカムを飲み込む飲み込み状態を示す図である。図２及び図３に示すように、スカムパイプ５０は、内部に空間を有する例えば外径３１８ｍｍの円筒状のパイプ５１の周面壁５１ａに、処理水４をパイプ５１内に案内する案内部５２を設けることによって形成されている。なお、スカムパイプ５０は水面３より上方に配置され、槽２の両側の側壁で、中心軸周りに回動可能に支持されている。
【００２３】
案内部５２はパイプ５１に切り欠き状に形成された穴部５３と、その穴部５３と略一体的に形成されパイプ５１の回動でスカムを掬う掬い部５４と、スカムを吸引する開口部５６と、スカムの流れを遮蔽する遮蔽板５７とから構成されている。
【００２４】
穴部５３は、パイプ５１の周面壁５１ａに、中心軸に沿って延び互いに対向する縁部（第１の縁部）５３ａ、縁部（第２の縁部）５３ｂ、及び周方向に延び互いに対向する縁部（第３の縁部）５３ｃ、縁部（第４の縁部）５３ｄを形成するように形成されている。なお、穴部５３を水面３と向かい合わせたとき、縁部５３ａがスカムの流れ方向の上流側で、縁部５３ｂが下流側となる。
【００２５】
掬い部５４は、縁部５３ｂ，５３ｃ，５３ｄからパイプ５１の外側に向かって延在する壁部５４ｂ，５４ｃ，５４ｄを有し、壁部５４ｂ，５４ｃ，５４ｄで取り囲まれる領域を、その自由縁部側において底板５４ａで塞ぐことによって構成されている。なお、底板５４ａは、壁部５４ｂとの間で鈍角をなしている。更に、底板５４ａの縁部のうち壁部５４ｂ，５４ｃ，５４ｄと接続されていない縁部からは、掬い部５４にスカムを貯留する空間を形成するための壁部５４ｅが、パイプ５１へ向かって延在している。この掬い部５４は、水面に没したときに水面３を浮遊するスカムを貯留する。
【００２６】
開口部５６は、壁部５４ｅの自由縁部と縁部５３ａとの間に形成され、掬い部５４とともにその一部が水面３に没するとスカムを吸引し、掬い部５４へ供給する。なお、水面３に没するとき、開口部５６はスカムの流れ方向の上流側を向く。
【００２７】
遮蔽板５７は、底板５４ａが壁部５４ｂ側へ延びることによって掬い部５４の長手方向に沿って形成されている。この遮蔽板５７は、底板５４ａが水面３に対して略垂直となり、下方へ向かって延びる状態となったときに、水面３に没する長さとされている。
【００２８】
次に、上述のように構成されたスカムパイプ５０の、スカム除去時の動作について説明する。
【００２９】
まず、通常状態においては、図３（ａ）に示すように、掬い部５４と開口部５６とが、開口部５６側を上向きとして水面３上に配置され、底板５４ａが水面３に対して垂直とされる。このとき、遮蔽板５７の下縁部が水面３に没するため、スカムの流れ方向側とその下流側とが遮断される。
【００３０】
次に、スカムを掬う掬い状態においては、スカムパイプ５０がパイプ５１の中心軸周りに開口部５６側とは反対向き（スカムを掬う向きと反対向き）に回動し、底板５４ａが水面３と水平となる位置に配置されることによって、掬い部５４の底板５４ａ側の一部と、開口部５６の一部が、水面３下に没する。このとき、掬い部５４の動きに引っ張られた水面上のスカムが勢いよく開口部５６に吸引され、掬い部５４に処理水４とともに貯留される。このような動作によって、効率よくスカムを掬うことができる。
【００３１】
最後に、スカムを飲み込む飲み込み状態においては、スカムパイプ５０がパイプ５１の中心軸周りに開口部５６側（スカムを掬う向き）に回動することによって、掬い部５４と開口部５６が、上述した通常状態の位置にまで戻される。壁部５３ｂは底板５４ａと鈍角をなし、パイプ５１へ向かって下向きの傾斜を有することとなるので、掬い部５４に貯留されていたスカムが、穴部５３を介して処理水ごとパイプ５１内に飲み込まれる。また、飲み込み状態においても、通常状態と同じく遮蔽板５７によってスカムの流れ方向側とその下流側とが遮断される。
【００３２】
スカムパイプ５０に飲み込まれたスカム及び処理水は、図２に示すように、返流水５９としてパイプ５１の長手方向の一端から槽２の外部へ流され、槽２よりも前段階の水処理が行われる沈砂池等へ戻される。
【００３３】
なお、水面３上のスカムの量にあわせて上述の往復回動運動の回数を増やすことによって、スカムの飲み込み量を増加させることができる。
【００３４】
以上のように、第１の実施形態にあっては、パイプ５１が水面３の上方に配置されているため、スカムの飲み込み状態においても、不要な処理水４を吸い込まないようにされている。また、掬い部５４で水面３に浮遊するスカムを掬い上げ、掬ったものだけをスカムパイプ５０内に供給することができる構成とされている。従って、スカムとともに掬い上げられる処理水４を少なくすることができる。以上によって、飲み込まれる返流水の量を極力少なくし、水処理に対する負荷を小さくすることができる。
【００３５】
また、通常状態及び飲み込み状態においては、遮蔽板５７がスカムの流れ方向側とその下流側とを遮蔽し、掬い状態においてスカムは掬い部５４に貯留される。このようにして、いずれの状態においても、スカムが下流側へ流れてしまうことを防止することができる。
【００３６】
[第２の実施形態]
図４は、本発明の第２の実施形態に係るスカムパイプ６０の断面図であり、（ａ）は通常状態を示し、（ｂ）はスカムを飲み込む飲み込み状態を示し、（ｃ）はスカムを掬う掬い状態の直前の様子を示す図である。この第２の実施形態が第１の実施形態と違う点は主に、スカムパイプ５０が往復回動運動をすることによりスカムを飲み込むことに代えて、スカムパイプ６０は回転運動することによってスカムを飲み込む点である。以下、第２の実施形態に係るスカムパイプ６０の構成及び動作についての相違点を詳細に説明する。
【００３７】
スカムパイプ６０の構成上の相違点としては、遮蔽板６７を、掬い部６４に設けずに下流側の水面３に槽の幅全域に亘って板を配置することで形成した点である。これは、遮蔽板６７を掬い部６４に設けてしまうと、スカムパイプ６０を回転運動さて掬い部６４が上側に来たときに、遮蔽板が水面３から出されてしまい、スカムが下流側に流れるおそれがあるためである。
【００３８】
また、掬い部６４に壁部５４ｅのような壁部を設けていない点も相違する。これは、図４（ｃ）に示すように、掬い部６４が下流側から水面に没する場合、底板６４ａに壁部５４ｅのような壁部を設けてしまうと、スムーズな掬い動作が妨げられるおそれがあるためである。
【００３９】
次にスカム除去時の回転運動について説明する。
【００４０】
まず、通常状態においては、図４（ａ）に示すように、掬い部５４の底板５４側の一部と、開口部５６の一部とが、水面３下に没し、底板５４ａが水面３に対して水平とされる。このとき、掬い部６４によって、スカムの流れ方向側とその下流側とが遮断される。
【００４１】
次に、スカムを掬う掬い状態においては、スカムパイプ６０がパイプ６１の中心軸周りに開口部６６側に回動することによって、掬い部６４によってスカムが処理水ごと掬われる。
【００４２】
そのまま、開口部６６側に回動すると、掬い部６４と開口部６６は水面３から出て、更に、壁部６４ｂがパイプ６１に対して下向きの傾斜をなす位置まで回動すると、スカムの飲み込み状態となり、掬い部６４に貯留されていたスカムが、穴部６３を介して処理水ごとパイプ６１内に飲み込まれる。このとき、掬い部６４が水面３から出ることによって引っ張られたスカムが下流側に引き寄せられる。
【００４３】
スカムを一度飲み込んだ後、スカムパイプ６０は引き続き同方向に回動を続け、図３（ｃ）に示すように、掬い部６４が下流側から水面３へ没する。掬い部６４が没すると、水面３のスカムを掬いながら更に一回転して、スカムを飲み込む。２回転目は、１回転目の段階で引き寄せておいたスカムを掬うことができるためより多くのスカムを効率よく掬うことができる。
【００４４】
２回転目の回転動作が終了すると、通常状態に戻る。なお、掬い部６４が水面３上に出ている間に、下流側にスカムが流されるおそれがあるが、下流側の水面３にスカムの流れを遮蔽する遮蔽板６７を槽の幅全域に亘って配置することで、それを防止している。
【００４５】
また、水面３上のスカムの量にあわせて上述の回転運動の回数を増やすことによって、スカムの飲み込み量を増加させることができる。
【００４６】
[第３の実施形態]
図５は、本発明の第３の実施形態に係るスカムパイプ７０の断面図である。この第３の実施形態が第１の実施形態と違う点は、底板６４ａが平板であるのに代えて、底板７４ａが半円弧状の断面を有するものである点である。この掬い部７４では、底板７４ａの形状にあわせて壁部７４ｃ，７４ｄも自由縁部が円弧状とされている。このようなスカムパイプ７０によっても、返流水の量を少なくし、水処理に対する負荷を小さくすることができる。
【００４７】
以上、本発明をその実施形態に基づき具体的に説明したが、本発明は上記実施形態に限定されるものではない。例えば、第１〜３の実施形態においては、スカムパイプを回動及び回転させるために槽の上部に設けられた図示しない駆動装置を使用しているが、掻寄架台とスカムパイプとの間をリンク機構で接続し、掻寄架台の往復運動を利用して、スカムパイプを回動及び回転させる構成としてもよい。
【００４８】
また、第１の実施形態において、遮蔽板は、底板を壁部側へ延ばすことによって形成されているが、通常状態及び飲み込み状態に水面を上流側と下流側とで遮蔽するものであれば、どこに設けられていてもよい。
【００４９】
更に、掬い部は、第１〜３の実施形態に示したものに限られず、スカムを掬い、貯留するものであればどのようなものであってもよい。
【００５０】
更にまた、第２の実施形態において、通常状態で開口部をスカムの流れ方向の下流側に向け、第２の実施形態における回転方向とは逆向きに回転させてもよい。
【００５１】
このようなスカムパイプによれば、スカムを一度飲み込んだ後、掬い部６４が上流側から水面３へ没する。このとき、掬い部６４が水面３に没することによって引っ張られたスカムが下流側に引き寄せされるため、それらのスカムを２回転目で掬うことができるようにされている。
【図面の簡単な説明】
【００５２】
【図１】本発明の第１の実施形態に係るスカムパイプを備えた汚泥掻寄装置を示す図である。
【図２】図１に示されたスカムパイプの斜視図である。
【図３】図１に示されたスカムパイプの断面図であり、（ａ）は通常状態を示し、（ｂ）はスカムを掬う掬い状態を示し、（ｃ）はスカムを飲み込む飲み込み状態を示す図である。
【図４】本発明の第２の実施形態に係るスカムパイプの断面図であり、（ａ）は通常状態を示し、（ｂ）はスカムを飲み込む飲み込み状態を示し、（ｃ）はスカムを掬う掬い状態の直前の様子を示す図である。
【図５】本発明の第３の実施形態に係るスカムパイプの断面図である。
【符号の説明】
【００５３】
２…槽、３…水面、４…処理水、５０，６０，７０…スカムパイプ、５１，６１，７１…パイプ、５１ａ，６１ａ，７１ａ…周面壁、５２，６２，７２…案内部、５３，６３，７３…穴部、５３ａ，６３ａ，７３ａ…縁部（第１の縁部）、５３ｂ，６３ｂ，７３ｂ…縁部（第２の縁部）、５３ｃ，６３ｃ，７３ｃ…縁部（第３の縁部）、５３ｄ，６３ｄ，７３ｄ…縁部（第４の縁部）、５４，６４，７４…掬い部、５４ｂ，５４ｃ，５４ｄ，６４ｂ，６４ｃ，６４ｄ，７４ｂ，７４ｃ，７４ｄ…壁部、５４ａ，５４ｂ，５４ｃ…底板、５６，６６，７６…開口部、５７，６７，７７…遮蔽板。
【図１】
2008086933.tif 000003
【図２】
2008086933.tif 000004
【図３】
2008086933.tif 000005
【図４】
2008086933.tif 000006
【図５】
2008086933.tif 000007